(57)【要約】  【課題】  配管の相対変位に伴う第１と第２の二つの把持部材間の相対変位を防止し、ボルトの変形、破損、緩みを防止する配管固定装置を提供する。  【解決手段】  配管固定装置１には、配管Ｐを間に挟むように相対向し、相互間をボルト５で締め付ける第１の把持部材３及び第２の把持部材４を具備させる。第１，第２の把持部材３，４間にわたる係合部６を設ける。係合部６は、第１の把持部材３に設けた配管Ｐの軸線直交方向のキー溝１２と、第２の把持部材４のキー溝１２の対応位置に設けた配管Ｐの軸線直交方向のキー溝１７と、キー溝１２，１７間に差し込むことにより、把持部材３，４間の相対変位を阻止する係合キー６ａとより構成する。【選択図】  図１
2013210064.tif 000002
【特許請求の範囲】
【請求項１】
配管を支持する支持部材に固定される第１の把持部材と、この第１の把持部材との間に配管を挟んで固定するように第１の把持部材にボルトで締め付けられる第２の把持部材とを具備し、
前記第１の把持部材及び第２の把持部材には、互いに係合して、配管の軸線方向の変位時の第１の把持部材の滑りに伴う第２の把持部材の相対変位を阻止する係合部をそれぞれ具備することを特徴とする配管固定装置。
【請求項２】
前記係合部は、第１及び第２の把持部材にそれぞれ係合して、把持部材相互間の前記相対変位を阻止する係合キーを具備することを特徴とする請求項１記載の配管固定装置。
【請求項３】
前記係合キーは、第１及び第２の把持部材にそれぞれ形成された、配管の軸線直交方向のキー溝に嵌合することを特徴とする請求項２に記載の配管固定装置。
【発明の詳細な説明】
【技術分野】
【０００１】
この発明は、配管を拘束しつつ支持するための配管固定装置に関し、特に配管の軸線方向の移動に伴う部材間の相対変位を阻止するものに係る。
【背景技術】
【０００２】
発電設備などに備えられる配管が、自重、機械荷重、流体振動、熱膨張及び地震などの外力を受けたときに、いずれの方向へも変位しないように固定する配管支持構造として、特許文献１に記載されたものが知られている。この配管支持構造は、配管と、配管を支持する配管支持部材と、配管を配管支持部材に固定するバンド金具のような配管固定部材とを具備し、さらに、配管と配管支持部材との間及び配管と配管固定部材との間に、各部材どうしを直接接触させた場合よりも各部材間に作用する摩擦力を高める摩擦力体を挟み込むという構成である。
また、配管を間に挟んで固定する第１及び第２の把持部材を具備し、これら把持部材の断面円弧状の把持部に左右回転方向の異なる二条の螺旋溝を形成したものが知られている（特許文献２）。
【先行技術文献】
【特許文献】
【０００３】
【特許文献１】特開2008-196542号公報
【特許文献２】特開2011-208778号公報
【発明の概要】
【発明が解決しようとする課題】
【０００４】
上記従来の配管支持装置においては、配管に軸線方向の大きな外力が作用すると、配管に摩擦抵抗を与える上下に対向する把持部材の相対向する内面のうち固定された下側把持部材の上面に滑りが生じることがあり、配管と共に上側把持部材が下側把持部材に対して相対的に変位する。このとき、把持部材相互を締め付け固定するボルトに曲げモーメントやせん断力がかかり、変形又は破損のおそれがあるし、ボルトの座面滑りがボルト緩みの原因になったり、配管を支持する設計上の強度計算を複雑にする。また、配管に対する上下の把持部材の滑り（把持性能の限界）を同程度にすることは、配管の拘束性能の向上に寄与する。
そこで、この出願に係る発明は、配管の相対変位に伴う第１と第２の二つの把持部材間の相対変位を阻止することにより、把持部材の締め付けボルトの変形、破損、緩みを防止し、配管の軸線方向の拘束性能を向上させる配管固定装置を提供することを課題としている。
【課題を解決するための手段】
【０００５】
上記課題を解決するため、この出願に係る発明においては、配管Ｐを支持する支持部材２に固定される第１の把持部材３と、この第１の把持部材３との間に配管Ｐを挟んで第１の把持部材３にボルト５により締め付けられる第２の把持部材４とを具備させ、第１の把持部材３及び第２の把持部材４に、互いに係合して、配管Ｐの軸線方向の変位時の第１の把持部材３の滑りに伴う第２の把持部材４の相対変位を阻止する係合部をそれぞれ設けて配管固定装置１を構成した。
係合部には、第１及び第２の把持部材３，４にそれぞれ係合して、配管Ｐの移動に伴う配管Ｐの軸線方向の把持部材３，４相互間の相対変位を阻止する係合キー６を具備させた。
係合キー６は、第１及び第２の把持部材３，４にそれぞれ形成された、配管Ｐの軸線直交方向のキー溝１２，１７に嵌合させるものとした。
【発明の効果】
【０００６】
この出願に係る発明の装置によれば、配管の軸線方向に外力が作用しても、係合部により第１及び第２の把持部材の相対変位を防止することができるので、支持部材に結合する把持部材に滑りの差異が生じることなく、把持部材相互を締め付けるボルトの変形、破損、緩みを防止し、配管の軸線方向の拘束性能を向上させ、また配管を適切に支持する設計上の強度計算の複雑因子を除去して簡単化できる。
【図面の簡単な説明】
【０００７】
【図１】本発明に係る配管固定装置の一部を切り欠いた正面図である。
【図２】図１の配管固定装置の側面図である。
【図３】図１の配管固定装置の平面図である。
【図４】図１の配管固定装置における第１の把持部材の斜視図である。
【図５】図１の配管固定装置における第２の把持部材の斜視図である。
【発明を実施するための形態】
【０００８】
図面を参照してこの発明の実施の形態を説明する。
図１ないし図３において、配管固定装置１は、配管Ｐを支持する支持部材２と、この支持部材２に固定される第１の把持部材３と、この第１の把持部材３との間に配管Ｐを挟んで第１の把持部材３にボルト５で締め付けられる第２の把持部材４と、第１，第２の把持部材３，４の相互間にわたる係合部６とを具備する。以下、便宜上、配管Ｐに対して、支持部材２側を「下方」、その反対側を「上方」として説明するが、配管の延長方向によって、現実の上方、下方とは必ずしも一致しない。
【０００９】
図示の実施形態において、第１の把持部材３は、角パイプやＨ型鋼材などで構成される既設の支持架構である支持部材２に溶接やボルト接合などの周知の固定方法により固着される。すなわち、支持部材２の天板２ａ上に固定される第１の把持部材３は直方形状の鋼材からなり、中央部に断面円弧状の凹面を有する把持部７を備えている。図４に示すように、把持部７の凹面上には、軸線方向に対して傾斜した互いに交差する二方向の多数のＶ溝７ａが形成される。第１の把持部材３は、把持部７の両側に第２の把持部材４とボルト５で結合される接続部８を具備する。接続部８には、軸線方向に間隔をおいて二つのボルト穴９をそれぞれ備えている。接続部８に挿入されたボルト５の締め付けにより、把持部７が第２の把持部材４の接続部１４と共に配管Ｐを挟持する。接続部８の第２の把持部材４と突き合わされる平らな接合面１０に平行な平らなベース面１１は、支持部材２の天板２ａに溶接される。図４に示すように、接合面１０の中央部には、係合部６を構成する矩形のキー溝１２が設けられている。キー溝１２は、把持状態の配管Ｐの軸線直交方向に設けられ、第１の把持部材３の側面から把持部７の近傍位置で終結している。
【００１０】
第２の把持部材４は直方形状の鋼材からなり、図５に示すように、第１の把持部材３に対応する断面円弧状の凹面を有する把持部１３及び接続部１４を具備する。接続部１４は、平らな接合面１６を第１の把持部材３の接合面１０と上下に突き合わせた状態で、ボルト５を貫通させるボルト孔１５を備える。接続部１４におけるボルト５の締め付けにより、把持部１３が第１の把持部材４の把持部７と共に配管Ｐを挟持する。把持部１３には、軸線方向に対して傾斜した互いに交差する二方向の多数のＶ溝１３ａが形成される。接合面１６の中央部には、係合部６を構成する矩形のキー溝１７が設けられている。キー溝１７は、把持状態の配管Ｐの軸線直交方向に設けられ、第２の把持部材４の側面から把持部１３に至っている。
【００１１】
係合部６には、第１の把持部材３と第２の把持部材４との結合状態において、キー溝１２，１７間に差し込まれるように四角柱状をなし、先端部が先細りの円弧状に形成された係合キー６ａを具備する。係合キー６ａは、キー溝１２，１７の溝幅に対応し、配管Ｐの太さに応じて第１の把持部材３と第２の把持部材４との間隔が変更されても、両キー溝１２，１７に嵌合可能な寸法とする。
【００１２】
この配管固定装置１は、配管Ｐを、把持部材３，４により上下から挟み込み、ボルト５を規定のトルクで締結することにより、把持部７，１３が配管Ｐの外周面に密着し、溝７ａ，１３ａが配管Ｐの軸線周りの回転変位に対して滑り止めし拘束力を発揮する。相対向するキー溝１２，１７間に係合キー６ａを差し込むことにより、把持部材３，４間の相対変位が阻止されて第１の把持部材３の片滑りによるボルト５の変形、破損、緩みを防止する。
【００１３】
なお、上記実施形態において係合部６の係合キー６ａは、第１の把持部材３及び第２の把持部材４と独立した単体物として構成したが、本発明はこれに限定されるものではなく、係合キー６ａを第１の把持部材３又は第２の把持部材４のいずれか一方と一体に形成し、他方にキー溝を設けて係合部を構成しても、配管の軸線方向の変位時の第１の把持部材３の滑りに伴う第２の把持部材４の相対変位を阻止することができる。
【符号の説明】
【００１４】
１    配管固定装置
２    支持部材
３    第１の把持部材
４    第２の把持部材
５    ボルト
６    係合部
６ａ  係合キー
７    把持部
７ａ  Ｖ溝
９    ボルト穴
８    接続部
１０    接合面
１１    ベース面
１２    キー溝
１３    把持部
１３ａ  Ｖ溝
１５    ボルト孔
１４    接続部
１６    接合面
１７    キー溝
Ｐ    配管
【図１】
2013210064.tif 000003
【図２】
2013210064.tif 000004
【図３】
2013210064.tif 000005
【図４】
2013210064.tif 000006
【図５】
2013210064.tif 000007